(57)【特許請求の範囲】
【請求項１】
ロープの両端にグリップが設けられた縄跳びにおいて、一方のグリップの内部に、縄跳び運動時のロープの回転によって本体が回動するように設けられた発電機と、その発電機の回転軸に取り付けられたカムと、そのカムと発電機本体との間に装架されたトーションスプリングと、前記カムを一定の拘束力をもって係止する可動爪を有し、前記トーションスプリングに蓄えられるねじり力が一定以上になったときにその可動爪が可動してカムとの係合が外れるように設けられたストッパ機構と、前記発電機の発電力によってロープの少なくとも一部を光らすように設けられた発光手段とをそなえた縄跳び。
【請求項２】
グリップの内部に複数のストッパ機構を設けたことを特徴とする請求項１の記載による縄跳び。
【発明の詳細な説明】
【０００１】
【産業上の利用分野】
本発明は、縄跳びの使用に際してロープ部分が光るようにした縄跳びに関する。
【０００２】
【従来の技術】
従来、この種の縄跳びとしては、一方のグリップの内部に電池を設けて、透明な中空ロープの内部にリード線に接続された複数のＬＥＤを配して、グリップ部分に設けられたスイッチを入れることによってロープ部分が光るようにしたものが存在する（実開平５−８８５６２号公報参照）。
【０００３】
また、従来、一方のグリップの内部に電池およびＬＥＤからなる光源を設けて、透明な中空ロープの内部に光ファイバケーブルを配して、グリップ部分に設けられたスイッチを入れることによってロープ部分が光るようにした縄跳びが存在する（実開平５−９５６４号公報参照）。
【０００４】
さらに、従来、一方のグリップの内部に電池およびランプなどからなる光源を設けるとともに、ロープの少なくとも一部を、光を反射散乱材などによって散乱させながら伝送させる長尺状の可撓性を有する特殊な照射手段により構成して、グリップ部分に設けられたスイッチを入れることによってロープ部分がキラキラと光るようにした縄跳びが存在する（特開平７−１８５０３５号公報参照）。
【０００５】
【発明が解決しようとする課題】
解決しようとする問題点は、縄跳びのロープ部分を光らせるための発光体の電源に電池を用いるのでは、不用意な電池切れを生じ、また電池交換が面倒なものになっていることである。
【０００６】
また、スイッチ操作によって発光体の電源のオン，オフを行わせなければならず、操作性が悪く、スイッチオフのし忘れによって電池が不用に消耗してしまうものになっている。そして、発光体の点灯は連続的であり、その点滅を行わせるにはリレーなどを別途に用いる必要があるものになっている。
【０００７】
【課題を解決するための手段】
本発明による縄跳びにあっては、不用意な電池切れを生じたり、面倒な電池交換を行うようなことなく、いつでも発光体の電源を確保できるようにするとともに、何らスイッチ操作によることなく縄跳び運動をするだけで発光体を点滅駆動させることができるようにしている。
【０００８】
そのため、本発明は、ロープの両端にグリップが設けられた縄跳びにあって、一方のグリップの内部に、縄跳び運動時のロープの回転によって本体が回動するように設けられた発電機と、その発電機の回転軸に取り付けられたカムと、そのカムと発電機本体との間に装架されたトーションスプリングと、前記カムを一定の拘束力をもって係止する可動爪を有し、前記トーションスプリングに蓄えられるねじり力が一定以上になったときにその可動爪が可動してカムとの係合が外れるように設けられたストッパ機構と、前記発電機の発電力によってロープの少なくとも一部を光らすように設けられた発光手段とをそなえるようにしている。
【０００９】
【実施例】
本発明による縄跳びにあっては、図１および図２に示すように、一方のグリップ１の内部に、ロープ２の一端が取り付けられて、縄跳び運動時のロープ２の回転によって本体が回動するように設けられた小型の発電機３と、その発電機３の回転軸３１に取り付けられたカム４と、そのカム４と発電機３の本体側との間に装架されたトーションスプリング５と、そのカム４を一定の拘束力をもって係止する可動爪６１を有し、ロープ２の回転によってトーションスプリング５に蓄えられるねじり力が一定以上になったときに可動爪６１が可動してカム４との係合が外れるように設けられたストッパ機構６と、発電機３の発電力によってロープ２の少なくとも一部を光らすように設けられた発光手段７とをそなえている。
【００１０】
ここでは、発光手段７として、発電機３の出力用リード８にカプラ端子９を介して接続されたリード１０に複数のＬＥＤ１４を等間隔をもって並列接続したものを透明（または半透明）な中空状のロープ２の内部に設けるようにしている。
【００１１】
グリップ１は、一端が閉塞し、他端が開放した円筒体を縦に２つ割りにした要素１１，１２からなり、その各要素１１，１２をつき合せた状態で複数箇所に設けられたフック係合部１３によって一体に組み付けられるようになっている。
【００１２】
また、そのグリップ１の開放端にはキャップ１５がはめ込まれている。その際、グリップ１の開放端の内周面には凸部１６がリング状に形成されているとともに、キャップ１５側の外周面にはその凸部１６が嵌合する凹溝１７が形成されており、グリップ１の要素１１，１２を一体に組み付けるときにキャップ１５側の凹溝１７がグリップ１側の凸部１６に嵌合して、キャップ１５がグリップ１に回転自在になるように装着されるようになっている。
【００１３】
そして、そのキャップ１５のリブ内に発電機３の一端が嵌め込まれて、縄跳び運動時のロープ２の回転に応じて、キャップ１５とともに発電機３の本体が回動するようになっている。
【００１４】
キャップ１５には、発電機３の出力用リード８を外部に引き出すとともに、中空状のロープ２を差し込んで装着するためのガイド部１８が設けられている。
【００１５】
図３は、ストッパ機構６の具体的な構成例を示している。ここでは、可動爪６１がスプリング６２の伸張力によってカム４を係止するように外方に突出しており、カム４による押圧力が所定に達したときにスプリング６２の伸張力に抗して可動爪６１が内方に引っ込んでカム４との係合が外れるように構成されている。
【００１６】
また、図４はストッパ機構６の他の構成例を示している。ここでは、可動爪６１がスプリング６２の引張力によってカム４を係止するように倒立しており、カム４による押圧力が所定に達したときにスプリング６２の引張力に抗して可動爪６１が傾倒してカム４との係合が外れるように構成されている。
【００１７】
このように構成された本発明による縄跳びの作動について、図５に示す作動状態図とともに、以下説明する。
【００１８】
縄跳び運動を開始すると、そのときのロープ２の回転に応じて発電機３の本体が回動して、初期の段階においてカム４がストッパ機構６の可動爪６１に係止し（図５・ａ）、その後トーションスプリング５が巻き上げられていく（図５・ｂ）。
【００１９】
次いで、トーションスプリング５に蓄えられるねじり力が所定に達すると、可動爪６１が可動してカム４との係合が外れて（図５・ｃ）、発電機３の回転軸３１がそのとき蓄えられているトーションスプリング５のねじり力によって回転する（図５・ｄ）。
【００２０】
図５中、矢印Ａはロープ２による回転力を示し、矢印Ｂはトーションスプリング５の巻き戻しによる回転力を示している。
【００２１】
そのときの発電機３の発電力によって発光手段７における複数のＬＥＤ１４が点灯して、ロープ２を一時的に光らしたのち、トーションスプリング５のねじり力の解放により発電機３の発電が停止してＬＥＤ１４が消灯する。
【００２２】
そして、再び、ロープ２の回転に応じた発電機３の本体の回動に応じて、カム４がストッパ機構６の可動爪６１に係止してトーションスプリング５が巻き上げられ、以後前述と同様にしてＬＥＤ１４の点灯、消灯がくり返して行われる。
【００２３】
このように本発明による縄跳びにあっては、縄跳び運動によるロープ２の回転が連続して行われている間、発電機３の発電が断続的に行われて、発光手段７における複数のＬＥＤ１４が点滅駆動され、ロープ２が断続的に光るようになる。
【００２４】
その際、グリップ１の内部にカム４と共働するストッパ機構６を複数設けるようにすれば、ロープ２が断続的に光る周期を短くすることができるようになる。
【００２５】
【発明の効果】
以上、本発明による縄跳びにあっては、縄跳び運動によるロープの回転が行われている間、一方のグリップ内に設けられた発電機の発電が断続的に行われて、透明なロープの内部に設けられた発光体の点滅駆動をなすことができるようにしたもので、不用意な電池切れを生じたり、面倒な電池交換を行うようなことなく、いつでも発光体の電源を確保することができるとともに、何らスイッチ操作によることなく縄跳び運動をするだけでロープを断続的に光らすことができるという利点を有している。
【図面の簡単な説明】
よることなく縄跳び運動をするだけでロープを断続的に光らすことができるという利点を有している。
【図面の簡単な説明】
【図１】本発明による縄跳びの一実施例を示す一方のグリップ部分における斜視図である。
【図２】同実施例の縄跳びにおける一方のグリップ部分の分解斜視図である。
【図３】同実施例に用いられるストッパ機構の一構成例を示す正断面図である。
【図４】同実施例に用いられるストッパ機構の他の構成例を示す正断面図である。
【図５】同実施例による縄跳びの作動状態を示す図である。
【符号の説明】
１  グリップ
２  ロープ
３  発電機
４  カム
５  トーションスプリング
６  ストッパ機構
６１  可動爪
７  発光手段
１１  グリップ要素
１２  グリップ要素
１４  ＬＥＤ
１５  キャップ
【図１】
0004296697.tif 000002
【図２】
0004296697.tif 000003
【図３】
0004296697.tif 000004
【図４】
0004296697.tif 000005
【図５】
0004296697.tif 000006